(57)【要約】【課題】  ユーザを認識するユーザ認識機能と、認識したユーザを示す情報を記憶媒体に記憶させることが可能であり、使用中のユーザが記憶媒体に予め記憶されていた情報が示すユーザと一致するか否かを判断可能なデジタルカメラを提供する。【解決手段】  デジタルカメラに、その使用が可能なユーザを登録する（ステップＳ１０３、Ｓ１０９）。ユーザは、ＬＣＤモニタ上のユーザ認識コード入力画面において、ユーザＩＤを入力（ステップＳ１０４）した後にデジタルカメラを使用する。そして、デジタルカメラを使用するユーザを示すプロファイル情報がメモリカードに記憶される。このプロファイル情報が示すユーザがデジタルカメラを使用している場合と、メモリカードにプロファイル情報が記憶されていない場合、ユーザは、メモリカードの初期化等が可能となる（ステップＳ１０７）。【選択図】        図６
2006222625.tif 000002
【特許請求の範囲】
【請求項１】
記憶媒体を接続可能なデジタルカメラであって、
前記記憶媒体のユーザを示す情報であるプロファイル情報を、接続された前記記憶媒体に記憶させるプロファイル情報記憶手段と、
前記プロファイル情報を読取るプロファイル情報読取り手段とを備えることを特徴とするデジタルカメラ。
【請求項２】
使用しているユーザを特定するユーザ特定手段と、
接続された前記記憶媒体に記憶されていた前記プロファイル情報が示す前記記憶媒体のユーザが、前記デジタルカメラを使用しているユーザであるか否かを判断する記憶媒体ユーザ判断手段とをさらに有することを特徴とする請求項１に記載のデジタルカメラ。
【請求項３】
接続された前記記憶媒体に記憶されていた画像データを消去する画像消去手段をさらに有することを特徴とする請求項２に記載のデジタルカメラ。
【請求項４】
接続された前記記憶媒体を初期化する記憶媒体初期化手段をさらに有することを特徴とする請求項２に記載のデジタルカメラ。
【請求項５】
前記記憶媒体初期化手段が前記記憶媒体を初期化すると、前記プロファイル情報記憶手段が、前記デジタルカメラを使用しているユーザを前記記憶媒体のユーザとして示す前記プロファイル情報を前記記憶媒体に記憶させることを特徴とする請求項４に記載のデジタルカメラ。
【請求項６】
前記プロファイル情報読取り手段が、接続された前記記憶媒体から前記プロファイル情報を読取らなかった場合に、前記プロファイル情報記憶手段が、前記デジタルカメラを使用しているユーザを前記記憶媒体のユーザとして示す前記プロファイル情報を前記記憶媒体に記憶させることを特徴とする請求項２に記載のデジタルカメラ。
【請求項７】
使用可能なユーザを登録ユーザとして登録するユーザ登録手段と、
使用を試みるユーザが前記登録ユーザであるか否かを判断する登録ユーザ判断手段とをさらに有し、
前記登録ユーザ判断手段が、前記使用を試みるユーザが前記登録ユーザであると判断した場合に、前記ユーザ特定手段が、前記デジタルカメラを使用しているユーザが前記登録ユーザのいずれであるかを特定することを特徴とする請求項２に記載のデジタルカメラ。
【請求項８】
前記登録ユーザ判断手段が、前記使用を試みるユーザにより入力された認識コードに基づいて、前記使用を試みるユーザが前記登録ユーザであるか否かを判断することを特徴とする請求項７に記載のデジタルカメラ。
【請求項９】
前記プロファイル情報が、前記認識コードに基づいて生成されることを特徴とする請求項８に記載のデジタルカメラ。
【請求項１０】
前記登録ユーザ判断手段が、前記使用を試みるユーザが前記登録ユーザであると判断した場合にのみ、使用可能となることを特徴とする請求項７に記載のデジタルカメラ。
【請求項１１】
接続された前記記憶媒体から前記プロファイル情報を消去するプロファイル情報消去手段をさらに有し、
前記プロファイル情報消去手段が、前記プロファイル情報が示す前記記憶媒体のユーザが前記デジタルカメラを使用しているユーザであると前記記憶媒体ユーザ判断手段が判断した場合に、前記プロファイル情報を消去可能であることを特徴とする請求項２に記載のデジタルカメラ。
【請求項１２】
接続された前記記憶媒体から前記プロファイル情報を消去するプロファイル情報消去手段をさらに有し、
前記プロファイル情報消去手段が、前記デジタルカメラを使用しているユーザが他のユーザを示す前記プロファイル情報を前記プロファイル情報消去手段に消去させることのできるユーザであると前記ユーザ特定手段が特定した場合に、前記プロファイル情報を消去可能であることを特徴とする請求項２に記載のデジタルカメラ。
【請求項１３】
前記記憶媒体ユーザ判断手段が、前記プロファイル情報が示す前記記憶媒体のユーザが前記デジタルカメラを使用しているユーザでないと判断した場合に、前記デジタルカメラを使用しているユーザが撮影した画像データを前記記憶媒体に記憶させることが可能であることを特徴とする請求項２に記載のデジタルカメラ。
【請求項１４】
接続された前記記憶媒体から前記画像データを消去する画像データ消去手段をさらに有し、
前記画像データ消去手段が、前記デジタルカメラを使用しているユーザが撮影した前記画像データを消去可能であることを特徴とする請求項１３に記載のデジタルカメラ。
【請求項１５】
接続された前記記憶媒体を初期化する記憶媒体初期化手段と、
接続された前記記憶媒体に記憶されていた前記プロファイル情報が示す前記記憶媒体のユーザが、前記デジタルカメラを使用しているユーザであるか否かを判断する記憶媒体ユーザ判断手段とをさらに有し、
前記プロファイル情報読取り手段が、接続された前記記憶媒体から前記プロファイル情報を読取らなかった場合と、前記記憶媒体ユーザ判断手段が、前記プロファイル情報が示す前記記憶媒体のユーザが前記デジタルカメラを使用しているユーザであると判断した場合に、前記記憶媒体初期化手段が、前記記憶媒体を初期化可能であることを特徴とする請求項１に記載のデジタルカメラ。
【請求項１６】
デジタルカメラと、前記デジタルカメラに接続可能な記憶媒体とからなるデジタルカメラシステムであって、
前記デジタルカメラが、
前記記憶媒体のユーザを示す情報であるプロファイル情報を、接続された前記記憶媒体に記憶させるプロファイル情報記憶手段と、
前記プロファイル情報を読取るプロファイル情報読取り手段とを備えることを特徴とするデジタルカメラシステム。
【発明の詳細な説明】
【技術分野】
【０００１】
本発明は、デジタルカメラおよびデジタルカメラシステムに関し、特に、ユーザ認識機能を備えたデジタルカメラと、ユーザ認識機能を備えたデジタルカメラと記憶媒体とからなるデジタルカメラシステムに関する。
【背景技術】
【０００２】
一般に、デジタルカメラにおいては、撮影された画像を記憶させるための記憶媒体が使用される。そして、画像が記録された記憶媒体は、デジタルカメラから取出されて、撮影画像の再生等に使用される（例えば特許文献１）。
【特許文献１】特開平６−１４２２９号公報（図１）
【発明の開示】
【発明が解決しようとする課題】
【０００３】
記憶媒体が接続されたデジタルカメラを複数のユーザで使用する場合、あるユーザによって使用されていた記憶媒体が別のユーザによって初期化されることにより、記憶されていた画像データが消去されてしまうことがある。
【０００４】
本発明は、ユーザを認識するユーザ認識機能と、認識したユーザを示す情報を記憶媒体に記憶させることが可能であり、さらに使用中のユーザが記憶媒体に予め記憶されていた情報が示すユーザと一致するか否かを判断可能なデジタルカメラを提供することを目的とする。
【課題を解決するための手段】
【０００５】
本発明のデジタルカメラは、記憶媒体を接続可能であり、記憶媒体のユーザを示す情報であるプロファイル情報を、接続された記憶媒体に記憶させるプロファイル情報記憶手段と、プロファイル情報を読取るプロファイル情報読取り手段とを備える。
【０００６】
デジタルカメラは、使用しているユーザを特定するユーザ特定手段と、接続された記憶媒体に記憶されていたプロファイル情報が示す記憶媒体のユーザが、デジタルカメラを使用しているユーザであるか否かを判断する記憶媒体ユーザ判断手段とをさらに有することが好ましい。またデジタルカメラは、接続された記憶媒体に記憶されていた画像データを消去する画像消去手段をさらに有することが好ましい。
【０００７】
デジタルカメラは、接続された記憶媒体を初期化する記憶媒体初期化手段をさらに有することが望ましい。そしてこの場合、記憶媒体初期化手段が記憶媒体を初期化すると、プロファイル情報記憶手段が、デジタルカメラを使用しているユーザを記憶媒体のユーザとして示すプロファイル情報を記憶媒体に記憶させることがより望ましい。
【０００８】
プロファイル情報読取り手段が、接続された記憶媒体からプロファイル情報を読取らなかった場合に、プロファイル情報記憶手段が、デジタルカメラを使用しているユーザを記憶媒体のユーザとして示すプロファイル情報を記憶媒体に記憶させることが好ましい。
【０００９】
デジタルカメラは、使用可能なユーザを登録ユーザとして登録するユーザ登録手段と、使用を試みるユーザが登録ユーザであるか否かを判断する登録ユーザ判断手段とをさらに有し、登録ユーザ判断手段が、使用を試みるユーザが登録ユーザであると判断した場合に、ユーザ特定手段が、デジタルカメラを使用しているユーザが登録ユーザのいずれであるかを特定することが好ましい。そしてこの場合、登録ユーザ判断手段が、使用を試みるユーザにより入力された認識コードに基づいて、使用を試みるユーザが登録ユーザであるか否かを判断することがより好ましい。またプロファイル情報は、例えば認識コードに基づいて生成される。そして、デジタルカメラは、登録ユーザ判断手段が使用を試みるユーザが登録ユーザであると判断した場合にのみ、使用可能となることが好ましい。
【００１０】
デジタルカメラは、接続された記憶媒体からプロファイル情報を消去するプロファイル情報消去手段をさらに有し、プロファイル情報消去手段が、プロファイル情報が示す記憶媒体のユーザがデジタルカメラを使用しているユーザであると記憶媒体ユーザ判断手段が判断した場合に、プロファイル情報を消去可能であることが望ましい。
【００１１】
デジタルカメラは、接続された記憶媒体からプロファイル情報を消去するプロファイル情報消去手段をさらに有し、プロファイル情報消去手段が、デジタルカメラを使用しているユーザが他のユーザを示すプロファイル情報をプロファイル情報消去手段に消去させることのできるユーザであるとユーザ特定手段が特定した場合に、プロファイル情報を消去可能であることが望ましい。
【００１２】
デジタルカメラは、憶媒体ユーザ判断手段がプロファイル情報が示す記憶媒体のユーザがデジタルカメラを使用しているユーザでないと判断した場合に、デジタルカメラを使用しているユーザが撮影した画像データを記憶媒体に記憶させることが可能であることが望ましい。そしてこの場合、デジタルカメラは、接続された記憶媒体から画像データを消去する画像データ消去手段をさらに有し、画像データ消去手段が、デジタルカメラを使用しているユーザが撮影した画像データを消去可能であることがより望ましい。
【００１３】
デジタルカメラは、接続された記憶媒体を初期化する記憶媒体初期化手段と、接続された記憶媒体に記憶されていたプロファイル情報が示す記憶媒体のユーザが、デジタルカメラを使用しているユーザであるか否かを判断する記憶媒体ユーザ判断手段とをさらに有し、プロファイル情報読取り手段が、接続された記憶媒体からプロファイル情報を読取らなかった場合と、記憶媒体ユーザ判断手段が、プロファイル情報が示す記憶媒体のユーザがデジタルカメラを使用しているユーザであると判断した場合に、記憶媒体初期化手段が、記憶媒体を初期化可能であることが好ましい。
【００１４】
本発明のデジタルカメラシステムは、デジタルカメラと、デジタルカメラに接続可能な記憶媒体とからなる。そしてデジタルカメラが、記憶媒体のユーザを示す情報であるプロファイル情報を、接続された記憶媒体に記憶させるプロファイル情報記憶手段と、プロファイル情報を読取るプロファイル情報読取り手段とを備えることを特徴とする。
【発明の効果】
【００１５】
本発明によれば、ユーザを認識するユーザ認識機能と、認識したユーザを示す情報を記憶媒体に記憶させることが可能であり、さらに使用中のユーザが記憶媒体に予め記憶されていた情報が示すユーザと一致するか否かを判断可能なデジタルカメラが実現できる。
【発明を実施するための最良の形態】
【００１６】
以下、本発明の実施形態を、図面を参照して説明する。図１は、本実施形態におけるデジタルカメラの正面図であり、図２は、デジタルカメラの背面図である。
【００１７】
デジタルカメラ１０の上面１０Ｕには、レリーズボタン１２およびモードダイヤル１４が設けられ、デジタルカメラ１０の前面１０Ｆには、ズームレンズを内蔵した撮影光学系１６、照明装置２０が設けられている。また、デジタルカメラ１０の背面１０Ｂには、被写体像を表示するＬＣＤモニタ２２と、所定の操作を実行するためのメニューボタン１１、フォーカス設定ボタン１３、ストロボ設定ボタン１５、画像消去ボタン１７、十字キー２１、ＯＫボタン２３、ズームレバー２５等が設けられている（図２参照）。そして、デジタルカメラ１０の側面１０Ｓには、画像データを記録するメモリカード４６の挿入口（図示せず）をカバーするための、開閉自在なメモリカードカバー２４が設けられている。メモリカード４６は、撮影画像の記録のために挿入口からデジタルカメラ１０に挿入され、必要に応じて挿入口から取出される。
【００１８】
図３は、ＬＣＤモニタ２２上に表示されたユーザ認識コード入力画面を示す図である。
【００１９】
デジタルカメラ１０が初めて使用される場合、ユーザによって初期設定が行なわれる。この初期設定のため、ＬＣＤモニタ２２上には自動的に所定の画面が表示される。初期設定のための画面のうち、ユーザを登録するための画面を図３に示す。初めてデジタルカメラ１０を使用するユーザは、十字キー２１、ＯＫボタン２３等を使用して、この画面にユーザＩＤ（認識コード）とパスワードを入力することにより、所有者ユーザとして登録される。
【００２０】
デジタルカメラ１０に登録された所有者ユーザは、デジタルカメラ１０の使用を許可するために、他のユーザを通常ユーザとして新たに登録することができる。この場合、メニューボタン１１の押下によりメニュー画面がＬＣＤモニタ２２に表示され、さらにユーザ登録の画面が選択されることにより、図３に示すユーザ認識コード入力画面が表示される。そして、新たに使用を許可されたユーザによりユーザＩＤとパスワードが入力され、このユーザは通常ユーザとして登録される。このように、デジタルカメラ１０の使用が可能なユーザは、所定の権限のある所有者ユーザと、所有者ユーザに使用を認められた通常ユーザとに区別して登録される。以下、所有者ユーザと通常ユーザとをまとめて登録ユーザと呼ぶ。
【００２１】
また、初めて使用される場合を除く通常のデジタルカメラ１０の起動時においても、ユーザを認識するために、ユーザ認識コード入力画面が自動的に表示される。そして、使用を試みるユーザが入力したユーザＩＤとパスワードとが、予め登録されていた登録ユーザのものであり、さらにパスワードが登録されていたものと一致する場合にのみ、デジタルカメラ１０は使用可能な状態となる。
【００２２】
図４は、デジタルカメラ１０のブロック図である。図５は、メモリカード４６に記憶されるプロファイル情報を概念的に示す図である。
【００２３】
デジタルカメラ１０には、全体を制御する制御回路であるマイコン１９、画像データ等を記録するための内蔵されたフラッシュメモリ４２、マイコン１９の信号処理のためのデータが記憶されているＥＥＰＲＯＭ４４等が設けられている。マイコン１９には、メインスイッチＳＷＭ、モードダイヤル１４等が接続されている。メインスイッチＳＷＭは、デジタルカメラ１０の電源スイッチであり、ユーザにより操作されるとオン状態になり、マイコン１９が作動を開始する。
【００２４】
マイコン１９は、ＬＣＤモニタ２２に所定の指示信号を送信して、ユーザ認識コード入力画面を表示させる。そして、ユーザＩＤとパスワードが入力されると、入力に応じた信号がマイコン１９に送信される。マイコン１９においては、送信された信号の示すユーザＩＤとパスワードとの組合せが、予めフラッシュメモリ４２に記録されている登録ユーザのものと一致するか否かが判断され、一致していた場合にのみデジタルカメラ１０は使用可能になる。マイコン１９により、ユーザＩＤとパスワードとの組合せが予めフラッシュメモリ４２に記録されているものと一致しないと判断されると、正しいユーザＩＤとパスワードとが入力されない限り、電源オフ、ユーザＩＤとパスワードとの入力以外の全ての操作がマイコン１９によって無効とされる。このように、デジタルカメラ１０は、使用しているユーザがいかなる登録ユーザであるかを特定することが可能である。そして、使用を試みた登録ユーザ以外の者による操作が無効になると、マイコン１９からの指示信号により、デジタルカメラ１０が使用不能であることを知らせる警告メッセージがＬＣＤモニタ２２に表示される。
【００２５】
被写体の撮影、画像の再生等の切換えは、モードダイヤル１４を所定の回転位置に定めることにより生じる信号が、マイコン１９へ送られることにより行われる。マイコン１９には、メニューボタン１１、フォーカス設定ボタン１３、ストロボ設定ボタン１５、画像消去ボタン１７、十字キー２１、ＯＫボタン２３がそれぞれ接続されており、ユーザの操作に応じた所定の信号がマイコン１９に送信される。これらのボタンの操作によって、ユーザは、撮影のために用いられる様々なパラメータを選択することができる。
【００２６】
レリーズボタン１２が半押しされると、測光スイッチＳＷＳがオン状態となる。被写体の撮影を行う場合に測光スイッチＳＷＳがオン状態となると、測距処理部（図示せず）による測距動作、測光処理部（図示せず）による被写体の測光が行われる。こうして得られた測距データ及び輝度データは、マイコン１９に送信される。マイコン１９は、測距データに基づき、撮影レンズ３０の位置を調整して合焦させるようにＡＦ・絞り駆動回路３４を制御する。
【００２７】
レリーズスイッチＳＷＲは、レリーズボタン１２を全押しすることによりオン状態になる。レリーズスイッチＳＷＲがオン状態になると、マイコン１９からの制御信号に基づいて、ＡＦ・絞り駆動回路３４が絞り３１を所定量だけ開き、シャッタ（図示せず）が所定の開度まで所定時間だけ開放される。なお、予め絞り値、シャッタ速度がユーザにより選択、設定されていた場合には、設定された各パラメータに応じて、絞り３１およびシャッタが作動する。そして、ＣＣＤ駆動回路３６により制御されたＣＣＤ３８が露光され、ＣＣＤ３８には被写体像を示す画像信号が発生する。マイコン１９は、測距データ及び輝度データに基づいて被写体を照明する必要があると判断すると、照明のための制御信号をフラッシュ回路（図示せず）へ出力し、照明装置２０が照明光を出射する。
【００２８】
ＣＣＤ３８において発生した画像信号は、ＣＤＳ回路３９においてノイズが低減され、Ａ／Ｄ変換器４０によりアナログからデジタルに変換される。さらに、デジタル化された画像信号は、ホワイトバランス調整などの様々な信号処理が施された後にマイコン１９へ送られる。画像信号は、さらに、マイコン１９からＬＣＤドライバ（図示せず）に送られ、この画像信号に基づいてＬＣＤモニタ２２が駆動され、被写体像がＬＣＤモニタ２２に表示される。
【００２９】
撮影された被写体像の画像データは、ＤＲＡＭ４５に一時的に記録された後に、例えば「１６００×１２００」画素など、予め選択されていた記録サイズでフラッシュメモリ４２に記録される。さらに、ここでは、メモリカード４６がデジタルカメラ１０の本体に挿入されているため、画像データはメモリカード４６にも記録される。なお、画像データは、その画像を撮影した登録ユーザが入力したユーザＩＤに基づくユーザ情報と関連付けて記録される。このため、各画像の撮影者がいずれの登録ユーザであるかがマイコン１９によって判断可能である。
【００３０】
デジタルカメラ１０は、接続されたメモリカード４６に、メモリカード４６のユーザを示す情報であるプロファイル情報が既に記憶されているか否かを判断する。そして、プロファイル情報がメモリカード４６に記憶されてなかった場合には、プロファイル情報がメモリカード４６に与えられる。すなわち、起動時に入力されたユーザＩＤに基づいてマイコン１９により特定されていたデジタルカメラ１０を使用中の登録ユーザを、挿入されているメモリカード４６のユーザとして示すプロファイル情報が、ユーザＩＤに基づいてマイコン１９により生成され、メモリカード４６に送られて記憶される。プロファイル情報（ＵＳＥＲ．ｉｎｉ）は、メモリカード４６のルート・ディレクトリに記憶され、画像データは下位のディレクトリ（Ｆｉｌｅ１、２等）に記憶される（図５参照）。
【００３１】
また、デジタルカメラ１０は、接続されたメモリカード４６に、プロファイル情報が既に記憶されていると判断した場合には、これを読出すことが可能である。すなわち、メモリカード４６が挿入されると、マイコン１９によってプロファイル情報の読出しが実行され、読出されたプロファイル情報が示す登録ユーザが、そのときデジタルカメラ１０を使用している登録ユーザであるか否かが判断される。
【００３２】
その結果、挿入されたメモリカード４６に既にプロファイル情報が記憶されていて、読出されたプロファイル情報が示す登録ユーザが、デジタルカメラ１０を使用している登録ユーザと一致した場合、メモリカード４６は全面的に使用可能であり、メモリカード４６についての全ての処理が実行可能になる。この場合、デジタルカメラ１０を使用している登録ユーザが、撮影した画像のデータをメモリカード４６に記憶させること、モードダイヤル１４の操作によって再生モードを選択し、十字キー２１の操作によって画像送りすることにより画像データをＬＣＤモニタ２２上に再生表示させること、画像消去ボタン１７の押下によってメモリカード４６に記録された画像データを消去させること、およびメモリカード４６の初期化がいずれも可能である。
【００３３】
メモリカード４６の全てのデータを消去する初期化は、以下のように実行される。まず、メニューボタン１１等の操作によりＬＣＤモニタ２２上にメニュー画面が表示され、登録ユーザによりメモリカード４６の初期化が指示される。そして、インターフェイス４３を介してマイコン１９から送信される指示信号に基づき、メモリカード４６に記憶されていた全てのデータが消去される。この初期化が終了すると、使用中の登録ユーザを示すプロファイル情報が、マイコン１９からメモリカード４６に自動的に送られてメモリカード４６にて記憶される。
【００３４】
挿入されたメモリカード４６に記憶されていたプロファイル情報が示すユーザがデジタルカメラ１０を使用中の登録ユーザと一致した場合においては、プロファイル情報の消去も可能である。この場合、ＬＣＤモニタ２２上にメニュー画面が表示され、デジタルカメラ１０を使用中の登録ユーザによりプロファイル情報を消去するメニューが選択されると、マイコン１９から送信される指示信号に基づき、メモリカード４６に記憶されていたプロファイル情報が消去される。なお、プロファイル情報が示すユーザがデジタルカメラ１０を使用中の登録ユーザと一致しない場合であっても、デジタルカメラ１０を使用している登録ユーザが所有者ユーザである場合、プロファイル情報の消去は可能である。
【００３５】
また、メモリカード４６からプロファイル情報が読出されなかった場合においても、挿入されたメモリカード４６に記憶されていたプロファイル情報が示すユーザがデジタルカメラ１０を使用中の登録ユーザと一致した場合と同様に、メモリカード４６についての全ての処理が実行可能になる。従って、この場合においても、メモリカード４６の初期化後には、デジタルカメラ１０を使用中の登録ユーザをメモリカード４６のユーザとして示すプロファイル情報が、マイコン１９からメモリカード４６に送られ、メモリカード４６に記憶される。
【００３６】
これに対し、挿入されたメモリカード４６に既にプロファイル情報が記憶されていて、読出されたプロファイル情報が示す登録ユーザが、そのときデジタルカメラ１０を使用している登録ユーザと一致しない場合、メモリカード４６は使用可能であるものの、メモリカード４６に対する一部の操作は実行されない。すなわちこの場合、デジタルカメラ１０を使用中の登録ユーザは、自ら撮影した画像をメモリカード４６に記憶させ、ＬＣＤモニタ２２上に表示させ、メモリカード４６に記憶させた自らが撮影した画像を消去させることは可能であるものの、メモリカード４６を初期化することや、自ら使用する前にメモリカード４６に記憶されていた、他のユーザによって撮影された画像データを消去することは禁止される。このとき、メモリカード４６の初期化や、既に記憶されていた画像データの消去が指示されると、マイコン１９からの指示信号に基づき、ＬＣＤモニタ２２上にはこれらの処理が実行されないことを示す警告メッセージが表示される。
【００３７】
なお、プロファイル情報が示す登録ユーザが、そのときデジタルカメラ１０を使用している登録ユーザと一致しない場合には、既に記憶されていた他のユーザにより撮影された画像は、ＬＣＤモニタ２２上に表示させなくても良い。この場合、撮影者ではない、デジタルカメラ１０を使用中の登録ユーザは、そもそも画像データの消去指示が不可能である。
【００３８】
図６は、ユーザ認識・登録ルーチンを示すフローチャートである。
【００３９】
ユーザ認識・登録ルーチンは、ユーザがメインスイッチＳＷＭをオンにすると開始する。ステップＳ１０１では、デジタルカメラ１０の電源がオンになりステップＳ１０２に進む。ステップＳ１０２では、誰もユーザ登録されていない状態であって、初期設定が必要であるか否かが判断される。そして、初期設定が必要である場合、ステップＳ１０３に進み、初期設定が不要である場合にはステップＳ１０４に進む。ステップＳ１０３では、ユーザＩＤとパスワードとの入力により所有者ユーザが登録され、ステップＳ１０６に進む。
【００４０】
ステップＳ１０４においては、ＬＣＤモニタ２２に表示されたユーザ認識コード入力画面において、ユーザＩＤとパスワードとが入力され、ステップＳ１０５に進む。ステップＳ１０５では、使用を試みるユーザが登録されているか否か、すなわち入力されたユーザＩＤとパスワードとの組合せがフラッシュメモリ４２に予め記録されたものと一致するか否かが、マイコン１９により判断される。そして、使用を試みるユーザが登録されていると判断されると、ステップＳ１０６に進む。
【００４１】
ステップＳ１０６では、メモリカード４６の初期化が指示されたか否かが判断される。メモリカード４６の初期化が指示されたと判断されると、ステップＳ１０７に進み、メモリカード４６の初期化が指示されなかったと判断されると、ステップＳ１０８に進む。ステップＳ１０７では、メモリカード４６を初期化するメモリカード初期化ルーチン（図７参照）が実施され、ステップＳ１０８に進む。
【００４２】
ステップＳ１０８では、使用中のユーザが所有者ユーザであるか否かが判断され、使用中のユーザが所有者ユーザであると判断されると、ステップＳ１０９において、デジタルカメラ１０の使用を許可する新たな通常ユーザが登録される必要があるか否かが判断される。そして、通常ユーザが登録される必要があると判断されると、ステップＳ１１０において、所有者ユーザの操作により通常ユーザが登録され、ステップＳ１１１に進む。ステップＳ１１１では、被写体が撮影され、ステップＳ１１２に進む。ステップＳ１１２では、撮影された画像の再生、消去が実施され、ユーザ認識・登録ルーチンは終了する。
【００４３】
図７は、メモリカード４６を初期化するメモリカード初期化ルーチンを示すフローチャートである。
【００４４】
メモリカード初期化ルーチンは、ユーザ認識・登録ルーチンにおけるメモリカード４６の初期化の指示（ステップＳ１０６）により開始する。ステップＳ２０１では、メモリカード４６にプロファイル情報が記憶されているか否かが判断される。メモリカード４６にプロファイル情報が記憶されているとマイコン１９により判断されると、ステップＳ２０２に進み、メモリカード４６にプロファイル情報が記憶されていないと判断されると、ステップＳ２０３に進む。ステップＳ２０２では、プロファイル情報が示す登録ユーザがデジタルカメラ１０を使用している登録ユーザと一致するか否かが判断される。プロファイル情報が示す登録ユーザが、デジタルカメラ１０の使用中の登録ユーザと一致する場合にはステップＳ２０４に進み、一致しない場合、ステップＳ２０５に進む。
【００４５】
ステップＳ２０３では、メモリカード４６が初期化され、ステップＳ２０６に進む。ステップＳ２０６においては、デジタルカメラ１０を使用している登録ユーザをメモリカード４６のユーザとして示すプロファイル情報がメモリカード４６に記憶され、メモリカード初期化ルーチンは終了する。これと同様に、ステップＳ２０４でもメモリカード４６が初期化され、次のステップＳ２０７において、デジタルカメラ１０を使用中の登録ユーザをメモリカード４６のユーザとして示すプロファイル情報がメモリカード４６に記憶され、メモリカード初期化ルーチンは終了する。
【００４６】
一方、ステップＳ２０５においては、ＬＣＤモニタ２２上にメモリカード４６の初期化ができないことを示す警告メッセージが表示され、初期化が実行されずにメモリカード初期化ルーチンは終了する。
【００４７】
以上のように本実施形態によれば、使用中のユーザを認識し、認識した使用中のユーザをメモリカード４６のユーザとしてメモリカード４６に記憶させることと、予め記憶されていたメモリカード４６のユーザが、デジタルカメラ１０を使用しているユーザと一致するか否かを判断可能なデジタルカメラ１０が実現される。このため、メモリカード４６とともにデジタルカメラ１０を複数のユーザで使用する場合においても、あるユーザによって使用されていたメモリカード４６が別のユーザによって初期化されること等が防止され、画像データを保護することができる。
【００４８】
なお本実施形態では、メモリカード初期化ルーチンにおいて、メモリカード４６にプロファイル情報が記憶されているか否かが判断される（ステップＳ２０１）が、この判断は、ユーザ認識・登録ルーチンにおけるユーザによる初期化指示（ステップＳ１０６）に先立って、実施されても良い。この場合に、メモリカード４６にプロファイル情報が記憶されていなかったと判断されていたときには、初期化が指示された段階において、既にマイコン１９から送られたプロファイル情報がメモリカード４６に記憶されているため、常に初期化は実行される。
【００４９】
挿入されたメモリカード４６から読出されたプロファイル情報が示す登録ユーザが、デジタルカメラ１０を使用している登録ユーザと一致しない場合、メモリカード４６の使用を完全に禁止しても良い。
【００５０】
所有者ユーザについても通常ユーザと同様に、メモリカード４６に記憶されたプロファイル情報が自らを示している場合、すなわちメモリカード４６のユーザが所有者ユーザである場合にのみ、プロファイル情報の削除が可能であっても良い。また、所有者ユーザは、通常ユーザを示すプロファイル情報が記憶されているメモリカードを含む全てのメモリカードの初期化が可能であっても良い。
【００５１】
使用中のメモリカード４６のプロファイル情報が示すユーザと、デジタルカメラ１０を使用中の登録ユーザとが一致した場合、メモリカード４６の初期化において、プロファイル情報は消去されなくても良い。この場合には、初期化後にマイコン１９からメモリカード４６にプロファイル情報を送ることは不要である。
【００５２】
使用を試みるユーザの識別方法は、ユーザ認識コードの入力に限定されず、例えば電源スイッチがユーザの指紋を検知しても良い。
【図面の簡単な説明】
【００５３】
【図１】本実施形態におけるデジタルカメラの正面図である。
【図２】デジタルカメラの背面図である。
【図３】ＬＣＤモニタに表示されたユーザ認識コード入力画面を示す図である。
【図４】デジタルカメラのブロック図である。
【図５】メモリカードに記憶されるプロファイル情報を概念的に示す図である。
【図６】ユーザ認識・登録ルーチンを示すフローチャートである。
【図７】メモリカード初期化ルーチンを示すフローチャートである。
【符号の説明】
【００５４】
１０  デジタルカメラ
１９  マイコン
２２  ＬＣＤモニタ
４２  フラッシュメモリ
４６  メモリカード（記憶媒体）
【図１】
2006222625.tif 000003
【図２】
2006222625.tif 000004
【図３】
2006222625.tif 000005
【図４】
2006222625.tif 000006
【図５】
2006222625.tif 000007
【図６】
2006222625.tif 000008
【図７】
2006222625.tif 000009